(57)【要約】【課題】本発明は、印画紙の余白部を切断する機能を備えたプリンター装置において、余白部を収納する収納箱が設置されていない状態でプリンター装置を動作させても、余白部の散乱を防止する方法を得ることを目的とする。【解決手段】本発明のプリンター装置１は、印画処理された印画紙３を印画部と余白部４とに切断するカッターユニット５、余白部４を収納する収納箱６が着脱自在に設置される収納箱設置部３０、収納箱設置部３０に収納箱６が設置されているか否かを検出する検出装置１０、検出装置１０の検出結果に応じてカッターユニット５の動作を制御するカッター動作制御装置１１を備えて構成される。【選択図】  図１
2008296496.tif 000002
【特許請求の範囲】
【請求項１】
印画処理された印画紙を印画部と余白部とに切断するカッターユニットと、
前記余白部を収納する収納箱が着脱自在に設置される収納箱設置部と、
前記収納箱設置部に前記収納箱が設置されているか否かを検出する検出装置と、
前記検出装置の検出結果に応じて前記カッターユニットの動作を制御するカッター動作制御装置と、
を備えるプリンター装置。
【請求項２】
前記収納箱が設置されていないことを前記検出装置が検出するとき、前記カッター動作制御装置は、前記余白部を切断しないように前記カッターユニットを制御する、請求項１に記載のプリンター装置。
【請求項３】
印画処理された印画紙を印画部と余白部とに切断するカッターユニットと、
前記余白部を収納する収納箱が着脱自在に設置される収納箱設置部と、
前記収納箱設置部を臨む余白部排出口と、
前記余白部排出口に開閉自在に設けられる排出口カバーと、を備え、
前記排出口カバーは、前記収納箱の前記収納箱設置部への着脱に応じて開閉する、プリンター装置。
【請求項４】
前記排出口カバーの開閉に応じて前記カッターユニットの動作を制御するカッター動作制御装置をさらに備える、請求項３に記載のプリンター装置。
【請求項５】
前記排出口カバーが閉じているとき、前記カッター動作制御装置は、前記余白部を切断しないように前記カッターユニットを制御する、請求項４に記載のプリンター装置。
【発明の詳細な説明】
【技術分野】
【０００１】
本発明はプリンター装置に関し、特に印画処理された印画紙の余白部を切断する技術に関する。
【背景技術】
【０００２】
プリンター装置により印画処理された印画紙について、不要な余白部を削除し印画部のみを残す技術について、特許文献１，２に示されている。
【０００３】
特許文献１では、あらかじめカットが施された印画紙を使用することにより、印画部だけを取り外すことができる方法が示されている。しかし、該文献に示された方法では、専用の印画紙しか使用できないという問題がある。
【０００４】
これに対し特許文献２では、プリンター装置において、カッター等による切断手段（以下、カッターユニットとする）と、紙片受け手段（以下、収納箱とする）が設けられた方法が示されている。余白部がカッターユニットによって切断され、切断された余白部は収納箱に収集される。また、蓄積された余白部を処理するため、収納箱は着脱自在な構成となっている。特許文献２の方法においては、通常のカット紙が使用可能である。
【０００５】
【特許文献１】特開２０００−２８９３５１号公報
【特許文献２】特開平７−３０９０４０号公報
【発明の開示】
【発明が解決しようとする課題】
【０００６】
しかし、特許文献２に示された方法において、収納箱がはずされたままの状態で切断処理が行われると、余白部が収納箱に収納されずプリンター装置周辺に散乱してしまうという課題があった。
【０００７】
この発明はこのような課題を解決するためになされたもので、収納箱がはずされたままの状態でプリンター装置を動作させても、余白部の散乱を防止する方法を得ることを目的とする。
【課題を解決するための手段】
【０００８】
本発明のプリンター装置は、印画処理された印画紙を印画部と余白部とに切断するカッターユニット、余白部を収納する収納箱が着脱自在に設置される収納箱設置部、収納箱設置部に収納箱が設置されているか否かを検出する検出装置、検出装置の検出結果に応じてカッターユニットの動作を制御するカッター動作制御装置を備えて構成される。
【発明の効果】
【０００９】
プリンター装置において、切断された余白部を収納する収納箱が、収納箱設置部に設置されているか否かを検出する検出装置が設けられ、その検出結果に応じてカッターユニットの動作が制御されるので、切断された余白部の散乱防止が可能である。
【発明を実施するための最良の形態】
【００１０】
以下、この発明をその実施の形態を示す図面に基づいて具体的に説明する。
【００１１】
＜実施の形態１＞
（構成）
図１は、本実施の形態における、収納箱６が設置された状態のプリンター装置１を示す構成図である。
【００１２】
プリンター装置１はその筐体１２の内部に印画紙３を切断するカッターユニット５を有し、筐体１２の側面には印画紙３を排出する印画紙排出口２が形成される。印画紙３は、図１のようにカッターユニット５および印画紙排出口２を通って外部に排出される。
【００１３】
筐体１２の外部側面には、収納箱６が着脱自在に設置される空間を有し、これを収納箱設置部３０とする。図１においては、収納箱設置部３０に収納箱６が設置されている。収納箱６内には、カッターユニット５によって切断された印画紙３の余白部４が収納される。
【００１４】
筐体１２の内部側面における収納箱６と接する部分において、収納箱６が設置されているか否かを検出する検出装置１０が設けられる。筐体１２内部には、検出装置１０の検出結果に応じてカッターユニット５の動作を制御するカッター動作制御装置１１が設置され、検出装置１０およびカッターユニット５と接続される。
【００１５】
また、図２は本実施の形態における、収納箱６が設置されていない状態のプリンター装置１を示す構成図である。収納箱６はこのように着脱自在な構成となっている。
【００１６】
収納箱６が設置されていない点以外は、図１と同じ構成であるので、ここでの詳細な説明は省略する。
【００１７】
（動作）
次に動作について説明する。
【００１８】
図１において、印画紙３はプリンター装置１の筐体１２内部において印画され、カッターユニット５へ移動される。
【００１９】
印画紙３がカッターユニット５を通過する前に、収納箱設置部３０に収納箱６が設置されているか否かが検出装置１０により検出され、その結果はカッター動作制御装置１１に伝達される。カッター動作制御装置１１はその検出結果により、以下に示すようにカッターユニット５の動作を制御する。検出装置１０は、フォトカプラー等の光学反射センサーもしくは、プッシュスイッチで検出してもよい。
【００２０】
図１のように収納箱６が設置された状態においては、カッター動作制御装置１１は印画紙３の余白部４を切断するようにカッターユニット５を制御する。図３は、収納箱６が設置された場合における、カッターユニット５を通過した後の印画紙３の状態を示す図である。このように余白部４が切断された後、印画部７のみ印画紙排出口２を介してプリンター装置１の外部に排出され、余白部４は収納箱６に収納される。印画部７と余白部４では切断される長さが異なり、余白部４は印画部７に比べて短く切断されるために、余白部４のみが収納箱６に収納されるようにプリンター装置１は構成されている。
【００２１】
一方、図２のように収納箱６が設置されていない状態においては、カッター動作制御装置１１は印画紙３の余白部４を切断しないようにカッターユニット５を制御する。図４は、収納箱６が設置されていない場合における、カッターユニット５を通過した後の印画紙３の状態を示す図である。このように印画部７と余白部４は切断されず、印画紙排出口２を介してプリンター装置１の外部に排出される。
【００２２】
（効果）
プリンター装置１において、収納箱設置部３０に収納箱６が設置されているか否かを検出する検出装置１０が設けられ、収納箱６が設置されていないことが検出されたときは、印画紙３の余白部４を切断しないようにカッターユニット５の動作が制御されるので、切断された余白部４の散乱防止が可能である。
【００２３】
＜実施の形態２＞
（構成）
図５は、本実施の形態における、収納箱６が設置された状態のプリンター装置１を示す構成図である。
【００２４】
プリンター装置１はその筐体１２内部に印画紙３をカットするカッターユニット５を有し、筐体１２の側面には印画紙３を排出する印画紙排出口２が形成される。カッターユニット５と印画紙排出口２の間には、印画紙３を移動させるための排出ローラー２４が設置される。
【００２５】
筐体１２の外部には収納箱６が着脱自在な空間を有し、これを収納箱設置部３０とする。図５においては、収納箱設置部３０に収納箱６が設置されている。筐体１２における収納箱６の上部と対面する部分には、収納箱設置部３０を臨む形で、余白部４を排出するための余白部排出口２１が形成されている。収納箱６内には、印画紙３の余白部４が収納される。
【００２６】
筐体１２の内部には平板状の排出口カバー２２を有し、その側面は収納箱６の側面と接している。また、排出口カバー２２における収納箱６と接している面の裏側にあたる面において、排出口カバー２２を収納箱６の方向へ押す力を有するスライドバネ２３が、縮んだ状態で接続されている。この場合、余白部排出口２１は塞がれていない。すなわち排出口カバー２２は開かれた状態になっている。
【００２７】
また、図示はしていないが、排出口カバー２２の開閉に応じてカッターユニット５の動作を制御するカッター動作制御装置が設けられてもよい。
【００２８】
図６は、本実施の形態における、収納箱６が設置されていない状態のプリンター装置１を示す構成図である。収納箱設置部３０には収納箱６が設置されていない。また、図５において側面が収納箱６と接する形で筐体１２内部にあった排出口カバー２２が、余白部排出口２１の下部を塞ぐ形で、外部へ水平方向にスライドされた状態になっており、排出口カバー２２に接続されているスライドバネ２３は延びた状態となっている。この場合、余白部排出口２１は塞がれている。すなわち排出口カバー２２は閉じた状態になっている。このように、排出口カバー２２は、収納箱６の収納箱設置部３０への着脱に応じて開閉する構成となっている。
【００２９】
図６におけるその他の構成は、図５に示した収納箱６が設置された状態と同様であるので、ここでの詳細な説明は省略する。
【００３０】
（動作）
図５において、印画紙３はプリンター装置１の筐体１２内部において印画され、排出ローラー２４が回転することにより、カッターユニット５、および印画紙排出口２を介して外部方向に移動される。
【００３１】
図５のような収納箱６が設置された状態、すなわち排出口カバー２２が開いているとき、カッターユニット５は動作し、印画紙３の余白部４がカッターユニット５で切断される。また、排出口カバー２２は開いているため、余白部排出口２１を介して余白部４のみが落下し、収納箱６に収納される。印画部は印画紙排出口２より排出される。
【００３２】
一方、図６のような収納箱６が設置されていない状態、すなわち排出口カバー２２が閉じているとき、前述したカッター動作制御装置（図示せず）が設けられておれば、カッターユニット５は余白部４を切断しないように制御される。印画紙３は切断されないまま印画紙排出口２より排出される。
【００３３】
また、図６のような収納箱６が設置されていない状態では、排出口カバー２２は閉じているため、余白部４が切断されたとしてもプリンタ装置１の外部には散乱しない。従って、カッターユニット５は切断するように制御され、余白部排出口２１に余白部４を蓄積させる方法をとってもよい。
【００３４】
（効果）
排出口カバー２２が閉じている場合は印画紙３の余白部４が切断されないように設定することにより、プリンター装置１の周辺に余白部４が散乱しないという効果がある。
【００３５】
また、本実施の形態においては、収納箱６が設置されていない状態では排出口カバー２２は閉じているため、収納箱６が設置されていない状態において切断を行うように設定してもよく、その場合は余白部４は余白部排出口２１に蓄積され、プリンター装置１の周辺に余白部４は散乱しないという効果がある。
【図面の簡単な説明】
【００３６】
【図１】本発明の実施の形態１に係るプリンター装置の構成を示す図である。
【図２】本発明の実施の形態１に係るプリンター装置の構成を示す図である。
【図３】本発明の実施の形態１に係る印画紙の状態を示す図である。
【図４】本発明の実施の形態１に係る印画紙の状態を示す図である。
【図５】本発明の実施の形態２に係るプリンター装置の構成を示す図である。
【図６】本発明の実施の形態２に係るプリンター装置の構成を示す図である。
【符号の説明】
【００３７】
１  プリンター装置、２  印画紙排出口、３  印画紙、４  余白部、５  カッターユニット、６  収納箱、７  印画部、１０  検出装置、１１  カッター動作制御装置、１２  筐体、２１  余白部排出口、２２  排出口カバー、２３  スライドバネ、２４  排出ローラー、３０  収納箱設置部。
【図１】
2008296496.tif 000003
【図２】
2008296496.tif 000004
【図３】
2008296496.tif 000005
【図４】
2008296496.tif 000006
【図５】
2008296496.tif 000007
【図６】
2008296496.tif 000008